(57)【要約】      （修正有）【課題】１月分の記入欄を具備する１月単位の紙葉を携帯に適した形態にし、必要な月の紙葉を１または複数枚まとめて所持しやすくし、更に、服のポケット等に出入する際の摩擦や折り畳みと拡開の反復などによっても、折れ目に損傷の生じにくい強度を有した携帯式カレンダーを提供する。【解決手段】１枚の紙葉１０から成り、折り畳みによる小型化が可能であり、携帯しての使用に供され得る携帯式カレンダーにおいて、１枚の紙葉につき１月分の主記入欄１５を、紙葉の片面の大半を占有する面積領域に具備し、また、折り畳みの際に折れ目１１，１２となる折れ線の端部に、折れ線と紙葉の外周線とを滑らかに接続する曲線部を、折れ線に関して対称に２つ有する切れ込みを備え、その折れ目で折り畳まれた際には角が曲線となる形状であり、その１月毎の紙葉が、１または複数枚、収容具に収容される構成とする。【選択図】図２
0003186048.tif 000002
【実用新案登録請求の範囲】
【請求項１】
１枚の紙葉から成り、折り畳みによる小型化が可能であり、携帯しての使用に供され得る携帯式カレンダーにおいて、
１枚の紙葉につき１月分の主記入欄を、紙葉の片面の大半を占有する面積領域に具備し、また、
折り畳みの際に折れ目となる折れ線の端部に、折れ線と紙葉の外周線とを滑らかに接続する曲線部を、折れ線に関して対称に２つ有する切れ込みを備え、その折れ目で折り畳まれた際には角が曲線となる形状であり、
その１月毎の紙葉が、１または複数枚、収容具に収容される
ことを特徴とする携帯式カレンダー。
【請求項２】
紙葉が、横長の略長方形状であり、折れ目が、縦方向に設けられ、略等間隔に２本備わる
請求項１に記載の携帯式カレンダー。
【請求項３】
折り畳まれた際の紙葉のサイズが、縦１０〜２０ｃｍ、横５〜１２ｃｍ、好ましくは、縦１３〜１７ｃｍ、横７〜１０ｃｍである
請求項１または２に記載の携帯式カレンダー。
【請求項４】
少なくとも翌月の１月分の副記入欄を、折り畳まれた際の紙葉のサイズと略同一の面積領域に具備し、また、
１年分のカレンダーを示す年間カレンダー表示部を具備する
請求項１ないし３に記載の携帯式カレンダー。
【請求項５】
収容具が、紙葉に装着されるカバーであり、
そのカバーが、折り畳まれた際の紙葉のサイズより若干大きい２つ折り式であり、紙葉の一端を収容可能な穴部を備える
請求項１ないし４に記載の携帯式カレンダー。
【請求項６】
収容具が、紙葉を収納するケースであり、
紙葉を収納するケースを付設可能であり、
そのケースが、折り畳まれた際の紙葉のサイズより若干大きい平坦な筒状であり、１２枚の１年分の紙葉の全体を収容可能なポケット部を備える
請求項１ないし５に記載の携帯式カレンダー。
【考案の詳細な説明】
【技術分野】
【０００１】
本考案は、１枚の紙葉から成り、折り畳みによる小型化によって、上着のポケットなどに入れて携帯して使用され得る携帯式カレンダーに関する。
【背景技術】
【０００２】
１枚の紙葉を折り畳んで小型化するカレンダーは既に公知である。それに関する従来技術として特許文献１〜４が挙げられるが、それらは卓上式のカレンダーに関するものである。
【０００３】
そのようなカレンダーの紙葉を、携帯しての利用に供することも可能であるが、従来品には、服のポケットに出入する際の摩擦や、折り畳みと拡開の反復などによって、特に折れ目の角に損傷が生じやすかった。また、１月分の記入欄を具備する１月単位の紙葉により、携帯に適したカレンダーもなかった。また、従来の紙葉は殆どが１年分のカレンダーであった。
【０００４】
特許文献５は、１枚の紙葉が１月分に相当し携帯に供するカレンダーであるが、服のポケットに出入する際の摩擦や、折り畳みと拡開の反復などによって、特に折れ目の角に損傷が生じることが防止できず、また、複数枚の紙葉を便利にまとめる構成はない。
特許文献６〜７は、折り畳みと拡開の反復などによって折れ目の角に損傷が生じることを防止する構成については開示があるが、複数枚の紙葉を便利にまとめる構成については開示がない。
特許文献８〜９は、複数枚の紙葉をまとめる構成については開示があるが、手帳としての使用に過ぎない。
【先行技術文献】
【特許文献】
【０００５】
【特許文献１】特開２００５−２９７３９６
【特許文献２】特開２００５−２７１３５９
【特許文献３】特開平８−３３７０８０
【特許文献４】実開昭６３−１４１７６１
【特許文献５】実開昭５９−０７１７５０
【特許文献６】実開昭５９−０３５０５９
【特許文献７】実開昭５５−０１０７４５
【特許文献８】登録実用新案第３１３７２０１号
【特許文献９】実開昭５７−０３９２５９
【考案の概要】
【考案が解決しようとする課題】
【０００６】
そこで、本考案は、１月分の記入欄を具備する１月単位の紙葉を携帯に適した形態にし、必要な月の紙葉を１または複数枚まとめて所持しやすくし、更に、服のポケット等に出入する際の摩擦や折り畳みと拡開の反復などによっても、折れ目に損傷の生じにくい強度を有したカレンダーを提供することを課題とする。
【課題を解決するための手段】
【０００７】
上記課題を解決するために、本考案の携帯式カレンダーは、次の構成を備える。
すなわち、１枚の紙葉から成り、折り畳みによる小型化が可能であり、携帯しての使用に供され得る携帯式カレンダーにおいて、１枚の紙葉につき１月分の主記入欄を、紙葉の片面の大半を占有する面積領域に具備し、また、折り畳みの際に折れ目となる折れ線の端部に、折れ線と紙葉の外周線とを滑らかに接続する曲線部を、折れ線に関して対称に２つ有する切れ込みを備え、その折れ目で折り畳まれた際には角が曲線となる形状であり、その１月毎の紙葉が、１または複数枚、収容具に収容されることを特徴とする。
【０００８】
ここで、紙葉を、横長の略長方形状とし、折れ目を、縦方向に設け、略等間隔に２本配備したものが、好適に用いられる。
【０００９】
折り畳まれた際の紙葉のサイズとしては、縦１０〜２０ｃｍ、横５〜１２ｃｍ、好ましくは、縦１３〜１７ｃｍ、横７〜１０ｃｍが好ましい。
【００１０】
少なくとも翌月の１月分の副記入欄を、折り畳まれた際の紙葉のサイズと略同一の面積領域に具備させ、また、１年分のカレンダーを示す年間カレンダー表示部を具備させて、利便性を高めてもよい。
【００１１】
収容具が、紙葉に装着されるカバーであり、そのカバーを、折り畳まれた際の紙葉のサイズより若干大きい２つ折り式にし、紙葉の一端を収容可能な穴部を設けてもよい。
【００１２】
収容具が、紙葉を収納するケースであり、そのケースを、折り畳まれた際の紙葉のサイズより若干大きい平坦な筒状にし、１２枚の１年分の紙葉の全体を収容可能なポケット部を設けてもよい。
【考案の効果】
【００１３】
本考案の携帯式カレンダーによると、１月分の予定等を記入して服のポケットに入れて携帯して使用しやすく、また必要な月の紙葉を１または複数枚まとめて所持容易であり、折り畳んだ際には角に丸みを帯びるので、角が損傷を受けにくく、ポケットの出入も円滑になる利点がある。
【図面の簡単な説明】
【００１４】
【図１】本考案による携帯式カレンダーの表面説明図
【図２】同、裏面の説明図
【図３】（イ）カバー、（ロ）カバーを付設した状態の説明図
【図４】（イ）ケース、（ロ）ケースを付設した状態の説明図
【図５】別実施例の携帯式カレンダーの表面説明図
【考案を実施するための最良の形態】
【００１５】
以下に、本考案の実施形態を、図面に示す実施例を基に説明する。なお、実施形態は下記の例示に限らず、本考案の趣旨から逸脱しない範囲で、前記特許文献など従来公知の技術を用いて適宜設計変更可能である。
図１及び２は、本考案による携帯式カレンダーの表面及び裏面の説明図である。
本実施例の１枚の紙葉（１０）のサイズは縦１７ｃｍ横２６ｃｍの横長の略長方形状であり、３つ折りタイプのものであるので、折り畳まれた際のサイズは、縦１７ｃｍ横８．７ｃｍとなる。
略等間隔で縦方向に設けられた２本の折れ目（１１）（１２）によって、表面は、表小区画（Ａ）（Ｂ）（Ｃ）に分けられ、同様に、裏面は、裏小区画（Ｄ）（Ｅ）（Ｆ）に分けられる。
【００１６】
折り畳まれた際の紙葉（１０）のサイズとしては、縦１０〜２０ｃｍ、横５〜１２ｃｍ、好ましくは、縦１３〜１７ｃｍ、横７〜１０ｃｍとなるものが、スーツの内ポケットなどへの収納や出入には好ましいが、財布などへの収納に適したサイズや、名刺やクレジットカードと同じサイズにしてもよい。
また、折れ目の数は、１〜５程度でもよく、横方向にも加えてもよい。
【００１７】
本実施例の表小区画（Ａ）には、該当するカレンダーの年と月の表示が具備され、表小区画（Ｂ）には、防忘用の記入欄（１３）が具備され、表小区画（Ｃ）には、該当するカレンダーの月と翌月分の予定等を記入可能な小さな副記入欄（１４）が具備されている。
防忘用記入欄（１３）も副記入欄（１４）も、折り畳まれた際の１区画に独立に分布することで、視認や記入の利便を図っている。
【００１８】
本実施例の裏小区画（Ｄ）（Ｅ）（Ｆ）には、該当するカレンダーの月の１月分の予定等を記入可能な大きな主記入欄（１５）が具備され、裏小区画（Ｆ）には、１年分のカレンダーを示す年間カレンダー表示部（１６）が具備されている。
主記入欄（１５）における日にちの境界線を、折れ目（１１）（１２）と同一に目に記入境界線と重ねることで記入の利便を図っている。
【００１９】
図１の上部で説明するように、折れ目（１１）（１２）となる折れ線の端部には、折れ線と紙葉（１０）の外周線（１７）とを滑らかに接続する角曲線部（１８）が備わる。この角曲線部（１８）は、折れ目（１１）（１２）に関して対称に２つ備わり、これによって切れ込み（１９）が形成されている。
そのため、折り畳んだ際には、角に角曲線部（１８）が位置して丸みを帯びるので、ポケット等への出入が円滑になり、角が損傷を受けにくく耐久性が増す。
【００２０】
図３（イ）（ロ）は、それぞれ、カバー及びカバーを付設した状態を示す説明図である。
収容具として紙葉に装着されるカバー（３０）は、折り畳まれた際の紙葉（１０）のサイズより若干大きい２つ折り式であり、ビニル等で形成される。
図示の例では、裏小区画（Ｆ）の左端部が、穴部（３１）に収容され、裏小区画（Ｅ）の上下端部が、舌片（３２）（３２）に挿通されて保持され、折れ目（１１）がカバー（２０）の折れ目（３３）と同じ位置に呼応している。
穴部（３１）や、２つの舌片（３２）（３２）の間に、住所録など別の紙葉類を収納して利用してもよい。
【００２１】
図４（イ）（ロ）は、それぞれ、ケース及びケースを付設した状態を示す説明図である。
収容具として紙葉を収納するケース（４０）は、折り畳まれた際の紙葉（１０）のサイズより若干大きい平坦な筒状であり、透明のビニル等で形成される。１２枚の１年分の紙葉の全体を収容可能なポケット部（４１）を備え、カバー（２０）も収納してもよい。
紙葉（１０）が１月単位なので、使用を開始する月も自由に決められ、所望の月の紙葉（１０）をケース（４０）から取り出しカバー（３０）を付設して使用し、使用後はケース（４０）に戻して保管できる。
【００２２】
図５は、別実施例の携帯式カレンダーの表面の説明図である。
本実施例の表小区画（Ａ）には、該当するカレンダーの月の表示（２０）の近傍に略四角状の切り欠け（２１）が設けられている。図示の例は１０月のカレンダーである。
このように、月に合わせて、凹凸を設けたり、色調を変化させたりして、区別の利便に寄与させてもよい。
【産業上の利用可能性】
【００２３】
本考案によるカレンダーは耐久性に優れ、予定等を記入して服のポケットに入れて携帯して使用しやすく実用的であり、産業上利用価値が高い。
【符号の説明】
【００２４】
１０  紙葉
１１、１２  折れ目
１３  防忘用記入欄
１４  副記入欄
１５  主記入欄
１６  年間カレンダー表示部
１７  紙葉の外周線
１８  角曲線部
１９  切れ込み
２０  月表示
２１  切り欠け
３０  カバー
３１  穴部
３２  舌片
４０  ケース
４１  ポケット部
Ａ、Ｂ、Ｃ  表小区画
Ｄ、Ｅ、Ｆ  裏小区画
【図１】
0003186048.tif 000003
【図２】
0003186048.tif 000004
【図３】
0003186048.tif 000005
【図４】
0003186048.tif 000006
【図５】
0003186048.tif 000007